(57)【要約】タックを用いた従来の引き返し編成に比べて引き返し編成を行えるコース数を多くすることができる引き返し編成方法を提供する。下記のステップを実施し、第一往路編成の終端の編目１１と第一復路編成の始端の編目１２とを繋ぐ第一掛け糸部１３を基底コースＳの第一引き返し点編目１８に巻き付ける。基底コースＳの第一引き返し点編目１８を対向する針床の空針ｃに目移しするステップＳ１。第一往路編成を行うと共に、第一往路編成の終端の編目１１に繋がる第一掛け糸部１３を、第一引き返し点編目１８に対して編幅方向に交差させるステップＳ２。空針に目移しされた第一引き返し点編目１８を、対向する針床の編針に返すステップＳ３。第一往路編成の終端の編目１１に連続して編目１２を形成し、この編目１２を始端とする復路編成を行うステップＳ４。
2009147815.tif 000002
【特許請求の範囲】
【請求項１】
少なくとも前後一対の針床を有し、前後の針床間で編目の目移しが可能な横編機を用いて、往路編成と復路編成とからなる引き返し編成を行うための引き返し編成方法であって、
基底コースの上に、第一往路編成と第一復路編成とからなる第一引き返し編成を行うことを含み、
前記第一引き返し編成は、
（Ａ）基底コースの編目のうち、第一往路編成の終端の編目が形成される編目よりも往路編成方向の１つ先の編目である第一引き返し点編目を対向する針床の空針に目移しする工程と、
（Ｂ）第一往路編成を行うと共に、第一往路編成の終端の編目に繋がる第一掛け糸部を、前記第一引き返し点編目に対して編幅方向に交差させる工程と、
（Ｃ）前記空針に目移しされた第一引き返し点編目を、対向する針床の編針に返す工程と、
（Ｄ）前記第一往路編成の終端の編目に連続して新たな編目を形成し、この編目を始端とする第一復路編成を行うことで、第一往路編成の終端の編目と第一復路編成の始端の編目とを繋ぐ第一掛け糸部を基底コースの第一引き返し点編目に巻き付ける工程と、
を備えることを特徴とする引き返し編成方法。
【請求項２】
さらに、前記第一引き返し編成に連続して、第二往路編成と第二復路編成とからなる第二引き返し編成を行い、
前記第二引き返し編成は、
（Ｅ）基底コースの編目のうち、前記第一往路編成の終端の編目が形成される編目よりも往路編成方向の２つ先の編目である第二引き返し点編目を対向する針床の空針に目移しする工程と、
（Ｆ）前記第一引き返し点編目の位置を終端とする第二往路編成を行うと共に、第二往路編成の終端の編目に繋がる第二掛け糸部を、前記第二引き返し点編目に対して編幅方向に交差させる工程と、
（Ｇ）前記空針に目移しされた第二引き返し点編目を、対向する針床の編針に返す工程と、
（Ｈ）前記第二往路編成の終端の編目に連続して新たな編目を形成し、この編目を始端とする第二復路編成を行うことで、第二往路編成の終端の編目と第二復路編成の始端の編目とを繋ぐ第二掛け糸部を基底コースの第二引き返し点編目に巻き付ける工程と、
を備えることを特徴とする請求項１に記載の引き返し編成方法。
【請求項３】
さらに、引き返し編成が終了した後に、針床に係止される編目に対して１コース編成する工程を備え、
この編成コースにおいて、前記第一引き返し点編目に繋がるウェール方向の編目の位置でミス編成をすることを特徴とする請求項１または２に記載の引き返し編成方法。
【請求項４】
少なくとも前後一対の針床を有し、前後の針床間で編目の目移しが可能な横編機を用いて編成され、基底コースの上に、第一往路編成コースと第一復路編成コースからなる第一引き返し編成部を備える編地であって、
基底コースの編目の一つである第一引き返し点編目と、
第一引き返し点編目の隣の編目に連続して形成される第一往路編成コースの終端の編目と、
前記終端の編目に連続して形成される第一復路編成コースの始端の編目と、
前記終端の編目から延びて、前記第一引き返し点編目の周りに１回巻き付いてから前記始端の編目に繋がる第一掛け糸部と、
を備えることを特徴とする編地。
【請求項５】
さらに、第一引き返し編成部に連続して形成される、第二往路編成コースと第二復路編成コースからなる第二引き返し編成部を備え、
基底コースの編目のうち、第一引き返し点編目に対して第一引き返し編成部とは反対側に隣接する第二引き返し点編目と、
第一引き返し点編目に連続して形成される第二往路編成コースの終端の編目と、
前記終端の編目に連続して形成される第二復路編成コースの始端の編目と、
前記終端の編目から延びて、前記第二引き返し点編目の周りに１回巻き付いてから前記始端の編目に繋がる第二掛け糸部と、
を備えることを特徴とする請求項４に記載の編地。
【発明の詳細な説明】
【技術分野】
【０００１】
本発明は、往路編成と復路編成とからなる引き返し編成方法、およびこの編成方法により編成される編地に関する。
【背景技術】
【０００２】
従来から、編地の編成において、往路編成と復路編成とからなる引き返し編成方法が行われていた。例えば、特許文献１では、セーターの衿ぐり部で引き返し編みを行って、ネックホールを形成した後、ネックホールの形成箇所に衿部を形成するようにした編地の編成方法が開示されている。【０００３】
図１は、前身頃２０と後身頃３０とからなるセーター１００の全体図であって、このセーター１００は、ネックホールとなる衿ぐり部４１と、この衿ぐり部４１の部分に形成される衿部４０とを有する。図７は、セーター１００のうち、前身頃２０の紙面左側にある衿ぐり部４１と衿部４０の編成を従来の引き返し編成により形成するための編成工程図である。図８は、この編成工程により編成された編地のループ図である。図７において、左右に並ぶ３つの欄のうち、左欄の数字は編成工程の番号を、中欄は編成工程における編地の編成方向を、右欄は編地の編成状態を示す。また、右欄における黒丸はその編成工程で形成される編目を、白丸は編針に係止されている編目を、Ｖ字はタックを、黒三角は給糸部材を示す。また、図７の右欄のＦＢは前針床、ＢＢは後針床、アルファベットは編針を示し、この図７のアルファベットの編針で編成された編目は、図８のアルファベットの上に並ぶ編目となる。なお、これら図７、図８では、ＦＢとＢＢを使用してリブ組織を編成している状態を説明している。【０００４】
このような従来の編成工程においては、ステップＳ００の状態（図８の一番下の編成コース）から引き返し編成を行う。引き返し編成は、往路編成（ステップＳ０１）と復路編成（ステップＳ０２）とからなり、給糸部材が引き返すときに、引き返し端部となる位置で編地に孔が生じないようにタックを行う。この引き返し編成を、引き返し位置を順次ずらして行い、編幅の端部の編針を順次編成から外して不作用状態としていくことで（ステップＳ０３〜Ｓ０８）、図１の衿ぐり部４１が形成される。そして、編針に係止される編目（タックも含む）に対して編成を実施することで（ステップＳ０９）、セーターの衿部４０を形成する。
【先行技術文献】
【特許文献】
【０００５】
【特許文献１】特開２００６−１１１９９６号公報
【発明の概要】
【発明が解決しようとする課題】
【０００６】
しかし、従来の引き返し編成方法では、引き返し編成を行う回数が多くなると、編成が困難になっていくので、引き返し編成を行える回数に限界があった。そのため、例えば、セーターの衿ぐり部の編成に従来の引き返し編成を使用すると、浅い衿ぐり部にデザインが制約されることになる。【０００７】
引き返し編成を行う過程では、一つの編地のうち、引き返し編成を行った部分（図８の編針ａ〜ｅの領域）は、新たな編目が形成されていき、前後の針床の間に位置する歯口の下方に下がっていく。これに対して、引き返し編成を行っていない部分（図８の編針ｆ〜ｈの領域）は、針床に係止されたままの状態になる。特に、タックを利用した従来の引き返し編成では、引き返し編成を行っていない部分で、一本の編針に編糸が二重にかかる状態になり、この部分における編糸の動き代が殆どない。つまり、引き返し編成を行っていない編地部は、引き返し編成を行って新たに形成されていく編地部が歯口の下方に下がることを阻害する。そのため、引き返し編成の回数を多くしていくと、引き返し編成を行う部分の編針に係止される編目が浮いてしまって編成動作（特に、ノックオーバー）を行えなくなる虞がある。【０００８】
また、従来の引き返し編成を利用して編成された編地では、図８に示すように、引き返し編成された編地部とこの編地部に隣接する編地部との境界部で、タックによる二重の編目が形成されるので、境界部が目立ち、編地の見た目を損なう虞がある。【０００９】
本発明は、上記事情に鑑みてなされたものであり、その目的の一つは、タックを用いた従来の引き返し編成に比べて引き返し編成を行えるコース数を多くすることができる引き返し編成方法を提供することにある。また、本発明の別の目的は、引き返し編成された編地部とこの編地部に隣接する編地部との境界部が目立たない編地を編成することができる引き返し編成方法を提供することにある。
【課題を解決するための手段】
【００１０】
本発明は、少なくとも前後一対の針床を有し、前後の針床間で編目の目移しが可能な横編機を用いて、往路編成と復路編成とからなる引き返し編成を行うための引き返し編成方法に係る。そして、本発明の引き返し編成方法は、基底コースの上に、第一往路編成と第一復路編成とからなる第一引き返し編成を行うことを含み、この第一引き返し編成が、以下の工程を備えることを特徴とする。
（Ａ）基底コースの編目のうち、第一往路編成の終端の編目が形成される編目よりも往路編成方向の１つ先の編目である第一引き返し点編目を対向する針床の空針に目移しする工程（目移し工程）。
（Ｂ）第一往路編成を行うと共に、第一往路編成の終端の編目に繋がる第一掛け糸部を、前記第一引き返し点編目に対して編幅方向に交差させる工程（往路工程）。
（Ｃ）前記空針に目移しされた第一引き返し点編目を、対向する針床の編針に返す工程（目戻し工程）。
（Ｄ）前記第一往路編成の終端の編目に連続して新たな編目を形成し、この編目を始端とする第一復路編成を行うことで、第一往路編成の終端の編目と第一復路編成の始端の編目とを繋ぐ第一掛け糸部を基底コースの第一引き返し点編目に巻き付ける工程（復路工程）。【００１１】
上記第一引き返し編成に備わる工程の順序は、第一往路編成の終端の編目と第一復路編成の始端の編目とを繋ぐ第一掛け糸部が基底コースの第一引き返し点編目に巻き付くように選択すれば良い。具体的には、目移し工程→往路工程→目戻し工程→復路工程の順としたり、往路工程→目移し工程→復路工程→目戻し工程の順とすることが考えられる。【００１２】
本発明の引き返し編成の一形態として、前記第一引き返し編成に連続して、第二往路編成と第二復路編成とからなる第二引き返し編成を行っても良い。その場合、第二引き返し編成は、以下の工程を備えることが好ましい。
（Ｅ）基底コースの編目のうち、前記第一往路編成の終端の編目が形成される編目よりも往路編成方向の２つ先の編目である第二引き返し点編目を対向する針床の空針に目移しする工程（目移し工程）。
（Ｆ）前記第一引き返し点編目の位置を終端とする第二往路編成を行うと共に、第二往路編成の終端の編目に繋がる第二掛け糸部を、前記第二引き返し点編目に対して編幅方向に交差させる工程（往路工程）。
（Ｇ）前記空針に目移しされた第二引き返し点編目を、対向する針床の編針に返す工程（目戻し工程）。
（Ｈ）前記第二往路編成の終端の編目に連続して新たな編目を形成し、この編目を始端とする第二復路編成を行うことで、第二往路編成の終端の編目と第二復路編成の始端の編目とを繋ぐ第二掛け糸部を基底コースの第二引き返し点編目に巻き付ける工程（復路工程）。【００１３】
上記第二引き返し編成に備わる工程の順序も、第一引き返し編成と同じように選択すれば良い。具体的には、目移し工程→往路工程→目戻し工程→復路工程の順としたり、往路工程→目移し工程→復路工程→目戻し工程の順とすることが考えられる。【００１４】
この引き返し編成方法における第二引き返し編成に備わる工程も、第一引き返し編成と同様に、第二往路編成の終端の編目と第二復路編成の始端の編目とを繋ぐ第二掛け糸部が基底コースの第二引き返し点編目に巻き付くように選択する。【００１５】
本発明の引き返し編成の一形態として、引き返し編成が終了した後に、針床に係止される編目に対して１コース編成する工程を備え、この編成コースにおいて、前記第一引き返し点編目に繋がるウェール方向の編目の位置でミス編成をすることが好ましい。【００１６】
また、本発明の編地は、少なくとも前後一対の針床を有し、前後の針床間で編目の目移しが可能な横編機を用いて編成され、基底コースの上に、第一往路編成コースと第一復路編成コースからなる第一引き返し編成部を備える。そして、本発明の編地は、基底コースの編目の一つである第一引き返し点編目と、第一引き返し点編目の隣の編目に連続して形成される第一往路編成コースの終端の編目と、前記終端の編目に連続して形成される第一復路編成コースの始端の編目と、前記終端の編目から延びて、前記第一引き返し点編目の周りに１回巻き付いてから前記始端の編目に繋がる第一掛け糸部とを備えることを特徴とする。【００１７】
本発明の編地の一形態として、さらに、第一引き返し編成部に連続して形成される、第二往路編成コースと第二復路編成コースからなる第二引き返し編成部を備えていても良い。この編地は、基底コースの編目のうち、第一引き返し点編目に対して第一引き返し編成部とは反対側に隣接する第二引き返し点編目と、第一引き返し点編目に連続して形成される第二往路編成コースの終端の編目と、前記終端の編目に連続して形成される第二復路編成コースの始端の編目と、前記終端の編目から延びて、前記第二引き返し点編目の周りに１回巻き付いてから前記始端の編目に繋がる第二掛け糸部とを備える。
【発明の効果】
【００１８】
本発明の引き返し編成方法は、引き返しの基点となる引き返し点編目の周りに、往路編成の終端の編目と復路編成の始端の編目とを繋ぐ掛け糸部を巻き付けることで、往路編成から復路編成になるように引き返している。この掛け糸部は、編成過程で編針に係止されないので、比較的大きな動き代を持っている。また、掛け糸部が巻き付けられる引き返し点編目も、編針に掛かっているものの、同じ編針にこの編目以外の編糸が掛かっていないので、動き代をもっている。そのため、本発明の引き返し編成方法によれば、タックを利用した従来の引き返し編成に比べて、引き返し編成を行っていない編地部が、引き返し編成を行って新たに形成されていく編地部が歯口の下方に下がることを阻害し難い。その結果、引き返し編成の回数を多くすることができ、編地のデザインの自由度も向上する。【００１９】
また、本発明の引き返し編成方法により編成された編地は、引き返し部分で編目が二重になっていないので、引き返し部分が目立たない。【００２０】
ところで、引き返し点編目は、掛け糸部により編幅方向に引っ張られるので、引き返し点編目と、この編目に隣接する編目との間に若干の隙間ができることがある。これに対して、引き返し編成が終了した後に編成される最初の編成コースにおいて、第一引き返し点編目が係止されていた編針でミス編成をすると、第一引き返し点編目がウェール方向に引き上げられることになるので、前記隙間が縦長になり目立たなくなる。引き返し点編目が２つ並ぶ構成であっても同様の効果がある。上述のように第一引き返し点編目がウェール方向に引き上げられるのは、第一引き返し点編目よりもウェール方向の上方に連続する編目の数が、ミス編成により一つ少なくなるからである。
【図面の簡単な説明】
【００２１】
【図１】引き返し部分を有するセーターの全体図である。
【図２】実施形態１に係る引き返し編成の編成工程図である。
【図３】実施形態１の編成工程により編成された編地のループ図である。
【図４】実施形態２に係る引き返し編成の編成工程図である。
【図５】実施形態２の編成工程により編成された編地のループ図である。
【図６】編地の引き返し部分の拡大写真であって、（Ａ）は本発明の引き返し編成方法を使用した編地、（Ｂ）は従来の引き返し編成方法を使用した編地である。
【図７】従来の引き返し編成方法の編成工程図である。
【図８】従来の編成工程により編成された編地のループ図である。
【発明を実施するための形態】
【００２２】
次に本発明の好適な実施の形態（実施形態１，２）を図面に基づいて以下に詳細に説明する。実施形態１，２のいずれも、前後の針床を備える横編機で、図１に示すような前身頃２０と後身頃３０からなる筒状編地であるセーター１００を編成する例を説明する。このセーター１００は、衿ぐり部４１に衿部４０が形成されたものであり、この衿ぐり部４１と衿部４０の編成に本発明の引き返し編成が用いられる。もちろん、本発明の引き返し編成方法は、引き返し編成を行う部分がある編地であれば適用することができるので、適用対象は筒状編地に限定されない。
【００２３】
まず、実施形態で使用する横編機を説明する。横編機は、左右方向に延び、かつ、前後方向に互いに対向する前後一対の針床を有する横編機である。このような横編機としては、前針床（以下、ＦＢ）と後針床（以下、ＢＢ）とを備える２枚ベッド横編機や、前後の針床の上方にさらに対向する２枚の針床を備える４枚ベッド横編機などを挙げることができる。
【００２４】
＜実施形態１＞
上述した横編機を使用して、図１に示すようなセーター１００の衿部４０を編成するには、衿部４０の下端の位置５０まで前身頃２０を編成し、引き返し編成により衿ぐり部４１の輪郭を形成する。そして、衿ぐり部４１を構成する編目に連続して衿部４０を編成する。以降の説明においては、図１の紙面左側の衿ぐり部４１の形成と、それに続く衿部４０の形成のみを模式的に説明する。
【００２５】
図２は、セーター１００のうち、衿ぐり部４１における引き返し編成と、衿部４０の編成とを示す編成工程図である（なお、中欄と右欄の上下方向の細矢印は、目移しを示す）。また、図３は、図２の編成工程により編成された編地のループ図であって、この図３の左右に並ぶ数字は、何番目に編成された編成コースかを示す。これらの図２，図３（後述する図４，図５）の見方は、従来技術の説明で参照した図７，８とそれぞれ同じである。なお、これらの図２，図３（後述する図４，図５）は、ＦＢとＢＢを使用して表目と裏目の混在したリブ組織であり、その編成コースと編目の数は、説明の便宜上、実際の編地よりも少なくしている。
【００２６】
図２のステップＳ０は、図１に示すセーター１００における衿部４０の下端の位置５０が編成され終わった状態を示す。ステップＳ０で編成されて基底コースとなる編成コースＳ（図３を参照）は、リブ組織を有する。
【００２７】
ステップＳ０の状態から、衿ぐり部が形成されるように、第一往路編成と第一復路編成とからなる１回目の第一引き返し編成を実施する。なお、以降の説明で付号をつけた編目は、図３において符号をつけて示す。
【００２８】
まず、第一引き返し編成をするにあたって、編成コースＳの編目のうち、ＢＢの編針ｃに係止される編目（第一引き返し点編目１８）を、対向するＦＢの編針ｃに目移ししておく（ステップＳ１）。このＢＢの編針ｃは、ステップＳ２で形成される第一往路編成コースの終端となるべき位置の編針ｂよりも編成の進行方向の１つ先にある。
【００２９】
次いで、ＦＢの編針ａ，ｂに編目を形成する第一往路編成を行うことで（ステップＳ２）、図３の編成コース１が形成される。このとき、給糸部材は、編針ｃの位置を超えるようにして、編針ｂに係止される編成コース１の終端の編目１１から延びる編糸（第一掛け糸部１３）が、目移しされた第一引き返し点編目１８（ＦＢの編針ｃ）に対して編幅方向に交差するようにする。
【００３０】
そして、ステップＳ１でＦＢの編針ｃに目移ししていた第一引き返し点編目１８をＢＢの編針ｃに返し（ステップＳ３）、第一復路編成を行う（ステップＳ４）。このとき、編針ｂに係止される第一往路編成の終端の編目１１に連続して第一復路編成の始端の編目１２が形成される。
【００３１】
これらステップＳ１〜４により、図３における編成コース１と編成コース２とからなる第一引き返し編成部が形成されると共に、第一往路編成による編成コース１の終端の編目１１と、第一復路編成による編成コース２の始端の編目１２とを繋ぐ第一掛け糸部１３が、編成コースＳの編針ｃに係止される第一引き返し点編目１８に１周巻き付いた状態になる。
【００３２】
第一引き返し編成部における掛け糸部１３は、編針に係止されないので、比較的大きな動き代を持っている。また、掛け糸部１３が巻き付けられる引き返し点編目１８も、編針に掛かっているものの、同じ編針にこの編目以外の編糸が掛かっていないので、動き代をもっている。そのため、引き返し編成される編地部が歯口の下方に下がることを、引き返し編成されていない編地部が阻害し難い。
【００３３】
次いで、図２のステップＳ５〜Ｓ８に示す手順により、図３の編成コース２を基底コースとして、再度の第一引き返し編成を実施し、編成コース３，４を編成する。但し、次の引き返し点編目１８（ステップＳ１〜Ｓ４における始端の編目１２でもある）は、ＦＢで編成される編目である。そこで、ステップＳ１〜Ｓ４における掛け糸部１３と同様に、ステップＳ５〜Ｓ８の掛け糸部１３がセーターの内側（筒の内側）から外側に向かって巻き付くようにするために、第一引き返し編成に備わる工程の順序を入れ換える。具体的には、往路工程（ステップＳ５）→目移し工程（ステップＳ６）→復路工程（ステップＳ７）→目戻し工程（ステップＳ８）の順に編成を行って、図３の編成コース３，４を編成する。これらステップＳ５〜Ｓ８の編成も、掛け糸部１３と引き返し点編目１８に動き代があるので、引き返し編成される編地部が歯口の下方に下がることを、引き返し編成されていない編地部が阻害し難い。
【００３４】
必要な回数の引き返し編成が終了したら、最後に、針床の編針に係止される編目に対して１コース編成を行い（ステップＳＦ）、編成コース５を最初の編成コースとする衿部の形成を開始する。編成コース６以降は、編成コース５に続く衿部の形成を所定コース数分繰り返す。
【００３５】
図２〜３で示した編成コースに加えて、さらに引き返し編成を行う場合、上述したステップＳ１〜Ｓ４の編成と、ステップＳ５〜Ｓ８の編成とを適宜組み合わせて必要な回数繰り返せば良い。既に述べたように、本実施形態の引き返し編成方法によれば、引き返し編成される編地部が歯口の下方に下がることを、引き返し編成されていない編地部が阻害し難いので、引き返し編成の回数を従来の引き返し編成方法を利用するよりも多くすることができる。その結果、衿ぐり部の深いセーターを編成することができる。
【００３６】
また、一般的に、リブ組織を有する筒状編地を編成する際、前後の針床間で編目の目移しをする必要が生じる。この筒状編地に引き返し編成を行っている場合、引き返し部分も目移しの対象となり得る。ここで、従来の引き返し編成では、引き返し部分の編針に二重にかかる編糸を目移しすることになるので、目移しをし損なう虞もある。これに対して、本実施形態の引き返し編成によれば、タックを行わないので、引き返し部分の目移しが容易にできる。
【００３７】
＜実施形態２＞
実施形態２では、引き返しの基点となる引き返し点編目が、編幅方向に２つ並ぶようにするための引き返し編成方法を図に基づいて説明する。
【００３８】
図４は、セーター１００のうち、衿ぐり部４１における引き返し編成と、衿部４０の編成とを示す編成工程図である。また、図５は、図４の編成工程により編成された編地のループ図である。
【００３９】
まず、図４のステップＳ１０に、図１の衿部４０の下端５０となる位置までＦＢとＢＢを使用してリブ組織を編成した状態を示す。これにより、図５の基底コース（編成コースＳ）が編成される。
【００４０】
ステップＳ１０の状態から、衿ぐり部４１が形成されるように引き返し編成を実施する。引き返し編成は、ステップＳ１１〜ステップＳ１４からなる第一引き返し編成と、ステップＳ１５〜ステップＳ１８からなる第二引き返し編成とからなる。
【００４１】
第一引き返し編成は、実施形態１の第一引き返し編成と同様の手順により実施する。即ち、目移し工程（ステップＳ１１）→往路工程（ステップＳ１２）→目戻し工程（ステップＳ１３）→復路工程（ステップＳ１４）の順に実施する。
【００４２】
これらステップＳ１１〜１４により、図５における編成コース１と編成コース２が編成されると共に、第一往路編成による編成コース１の終端の編目１１と、第一復路編成による編成コース２の始端の編目１２とを繋ぐ第一掛け糸部１３が、編成コースＳの第一引き返し点編目１８に１周巻き付いた状態になる。編成コース２の始端の編目１２は、編成コース１の終端の編目１１に連続してウェール方向に形成されている。また、終端の編目１１は、編成コースＳにおける第一引き返し点編目１８の左隣の編目に連続してウェール方向に形成されている。
【００４３】
次に、ステップＳ１５〜ステップＳ１８の第二引き返し編成を実施する。これら第二引き返し編成も、目移し工程（ステップＳ１５）→往路工程（ステップＳ１６）→目戻し工程（ステップＳ１７）→復路工程（ステップＳ１８）の順に実施する。
【００４４】
これらステップＳ１５〜１８により、図５における編成コース３と編成コース４が編成されると共に、第二往路編成による編成コース３の終端の編目１４と、第二復路編成による編成コース４の始端の編目１５とを繋ぐ第二掛け糸部１６が、編成コースＳの第二引き返し点編目１９に１周巻き付いた状態になる。編成コース３の終端の編目１４は、編成コースＳにおける第一引き返し点編目１８に連続してウェール方向に形成される。また、編成コース４の始端の編目１５は、編成コース３の終端の編目１４に連続してウェール方向に形成される。
【００４５】
上述したステップＳ１１〜ステップＳ１８からなる引き返し編成を実際の編地の衿ぐり部４１を形成するために必要な数だけ繰り返すことで図１のセーター１００の衿ぐり部４１を完成する。本実施形態の引き返し編成は、実施形態１と同様に、引き返し部分である掛け糸部１３，１６が、それぞれ引き返し点編目１８，１９に巻き付いているだけである。そのため、引き返し編成される編地部が歯口の下方に下がることを、引き返し編成されていない編地部が阻害し難いので、引き返し編成を行う回数を従来よりも多くすることができる。
【００４６】
さらに、本実施形態では、衿部４０の形成を開始するステップＳ１Ｆにおいて、第一引き返し点編目１８を編成した編針ｃ，ｅにおいてミス編成をしている。このような編成により、図５に示すように、第一引き返し点編目１８に連続してウェール方向に形成される終端の編目１４と始端の編目１５は、始端の編目１５の２つ上の編成コース（編成コース１０）の編目１７に引っ張られることになる。つまり、掛け糸部１３により編幅方向左側に引っ張られる第一引き返し点編目１８が、同時にウェール方向にも引っ張られるので、第一引き返し点編目１８と、この編目１８に隣接する第二引き返し点編目１９との間にできる隙間が縦長になり、隙間が目立たなくなる。また、第二引き返し点編目１９も、終端の編目１４から始端の編目１５に繋がる第二掛け糸部１６により、斜め上方に引っ張り上げられるので、第二引き返し点編目１９とこの第二引き返し点編目１９の紙面右方向に隣接する編目との間にできる隙間が縦長になり、目立たなくなる。
【００４７】
＜編地の比較＞
最後に、本発明の引き返し編成方法で編成された編地と、従来の引き返し編成方法で編成された編地とを比較する。図６は、編地の引き返し部分の拡大写真であって、（Ａ）は本発明の引き返し編成方法を使用した編地、（Ｂ）は従来の引き返し編成方法を使用した編地である。
【００４８】
図６を見ると明らかなように、従来の引き返し編成方法を利用した編地では、引き返し部分が目立つのに対して、本発明の引き返し編成方法を利用した編地では、引き返し部分があまり目立たない。特に、従来の編地では、裏目の領域における引き返し部分が顕著に目立つが、本発明の編地では引き返し部分が曖昧で目立たない。
【００４９】
なお、本発明の実施形態は、上述した実施形態に限定されるわけではなく、本発明の要旨を逸脱しない範囲において適宜変更することが可能である。例えば、本発明の引き返し編成が適用される編地は、筒状でない一枚ものの編地であっても良い。また、引き返し編成が適用される部分も、衿ぐり部に限定されず、例えば、襠部や肩ライン部などであっても良い。さらに、引き返し編成を適用する部分は、実施形態とは異なるリブ組織（例えば、２×２のリブ組織）であっても良いし、リブ組織ではない組織、例えば天竺編みの組織であっても良い。
【符号の説明】
【００５０】
１００  セーター
２０  前身頃  ３０  後身頃
４０  衿部  ４１  衿ぐり部  ５０  衿部の下端の位置
Ｓ，１〜１０  編成コース
１１  終端の編目（第一往路編成）
１２  始端の編目（第一復路編成）
１３  第一掛け糸部
１８  第一引き返し点編目
１４  終端の編目（第二往路編成）
１５  始端の編目（第二復路編成）
１６  第二掛け糸部
１９  第二引き返し点編目
１７  編成コース１０の編目
【図１】
2009147815.tif 000003
【図２】
2009147815.tif 000004
【図３】
2009147815.tif 000005
【図４】
2009147815.tif 000006
【図５】
2009147815.tif 000007
【図７】
2009147815.tif 000008
【図８】
2009147815.tif 000009
【図６】
2009147815.tif 000010
【国際調査報告】
2009147815.tif 000011
2009147815.tif 000012